(57)【要約】【課題】三次元的に複雑に入り組んだ通路を構成できるとともに、壁で仕切られていない開放的な空間を構成できる立体迷路を提供すること。【解決手段】立体迷路１０１は、踊場Ａと、階段Ｓ１と、柱Ｐ１との３種類の共通部品の組み合わせによって構成され、踊場Ａおよび階段Ｓ１によって構成される連続する通路を有している。従って、三次元的に複雑に入り組んだ通路を有する重層的で回遊的な立体迷路１０１を容易に構成でき、これによって得られる通路パターンの数を平面構造物の場合と比べて飛躍的に増大できる。【選択図】図１
2008049086.tif 000002
【特許請求の範囲】
【請求項１】
複数の踊場と、これら複数の踊場のうちで所定の踊場間に架設される複数の階段と、前記複数の踊場を基準面上に支持する複数の柱を備え、
前記複数の踊場および複数の階段は、連続する通路を構成していることを特徴とする立体迷路。
【請求項２】
請求項１に記載の立体迷路において、
前記複数の柱は、前記所定寸法Ｌの１／ｎずつ異なる長さ寸法を有するｎ種類の柱を備え、
前記ｎ種類の複数の柱が前記踊場に連結されることによって、前記踊場の高さ位置が前記所定寸法Ｌの１／ｎずつ異なるｎ種類の踊場ユニットが構成され、
前記ｎ種類の踊場ユニットは、隣り合う当該踊場ユニット同士の前記踊場の高さ位置の差が前記所定寸法Ｌの１／ｎとなるように前記基準面に配設され、
前記基準面に配設される前記踊場ユニットの上方には、前記所定寸法Ｌの高さ位置にある踊場を有する踊場ユニットが順次積み上げられ、
前記階段は、前記所定寸法Ｌの１／ｎの高さ位置の差を有し互いに隣り合う前記踊場間に架設されていることを特徴とする立体迷路。
【請求項３】
請求項１または請求項２に記載の立体迷路において、
前記複数の柱は、所定寸法Ｌの１／４ずつ異なる長さ寸法を有する４種類の柱を備え、
前記４種類の複数の柱が前記踊場に連結されることによって、前記踊場の高さ位置が前記所定寸法Ｌの１／４ずつ異なる４種類の踊場ユニットが構成され、
前記４種類の踊場ユニットは、隣り合う当該踊場ユニット同士の前記踊場の高さ位置の差が前記所定寸法Ｌの１／４となるように前記基準面に配設され、
前記基準面に配設される前記踊場ユニットの上方には、前記所定寸法Ｌの高さ位置にある踊場を有する踊場ユニットが順次積み上げられ、
前記階段は、前記所定寸法Ｌの１／４の高さ位置の差を有し互いに隣り合う前記踊場間に架設されていることを特徴とする立体迷路。
【請求項４】
請求項３に記載の立体迷路において、
前記階段は、前記所定寸法Ｌの１／４の高さ位置の差を有し互いに隣り合う前記踊場間に架設される階段に加えて、前記所定寸法Ｌの１／２の高さ位置の差を有し互いに隣り合う前記踊場間にも架設される階段も備えていることを特徴とする立体迷路。
【請求項５】
請求項１から請求項４のいずれかに記載の立体迷路において、
前記複数の踊場のうちで互いに隣り合って当該踊場の高さ位置が同じである前記踊場間には、水平デッキが適宜架設されていることを特徴とする立体迷路。
【請求項６】
請求項１から請求項５のいずれかに記載の立体迷路において、
前記階段は、適宜、架設されるか架設されないかを選択可能に構成されていることを特徴とする立体迷路。
【請求項７】
請求項１に記載の立体迷路において、
前記複数の柱は、前記所定寸法Ｌの１／２だけ異なる長さ寸法を有する２種類の柱を備え、
前記２種類の複数の柱が前記踊場に連結されることによって、前記踊場の高さ位置が前記所定寸法Ｌの高さ位置および前記所定寸法Ｌの１／２の高さ位置である２種類の踊場ユニットが構成され、
前記基準面には、仮想の六角形が設定され、
この仮想の六角形の各頂点位置には、前記２種類の踊場ユニットが交互に配設され、
前記各頂点位置に配設される踊場ユニットの上方には、前記踊場の高さ位置が前記所定寸法Ｌの高さ位置である複数の踊場ユニットが順次積み上げられ、
前記仮想の六角形の中心位置上には、前記複数の踊場が配設され、
前記中心位置上の踊場は、互いに所定寸法Ｌの１．５倍の高さ位置の差を有して配設されるとともに、
前記中心位置上の踊場の少なくとも１つの踊場は、前記各頂点位置上の踊場の少なくとも１つの踊場と同じ高さ位置に配設され、
前記階段は、前記各頂点位置上の踊場と前記中心位置上の踊場間に適宜架設される階段と、前記各頂点位置上の２つの踊場間に適宜架設される階段とを有していることを特徴とする立体迷路。
【請求項８】
請求項７に記載の立体迷路において、
前記仮想の六角形の各頂点位置のうちで、前記踊場の高さ位置が前記所定寸法Ｌの１／２の高さ位置である踊場ユニットが配設される頂点位置上には、前記２種類の踊場ユニットの代わりに、前記複数の踊場が、所定寸法Ｌの高さ位置の差を有して配設され、
前記複数の踊場は、隣り合う踊場に階段を介して支持されていることを特徴とする立体迷路。
【請求項９】
請求項７または請求項８に記載の立体迷路において、
前記仮想の六角形の各頂点位置上に配設される踊場ユニットのうちで、最上部に配設される踊場ユニットに支持される頂部構造体を備え、
前記仮想の六角形の中心位置上に配設される複数の踊場は、前記頂部構造体に下垂されるワイヤによって支持されていることを特徴とする立体迷路。
【請求項１０】
請求項７から請求項９のいずれかに記載の立体迷路において、
前記基準面には、複数の前記仮想の六角形が並んだ亀甲パターンが設定されていることを特徴とする立体迷路。
【請求項１１】
請求項２から請求項１０のいずれかに記載の立体迷路において、
前記柱は、所定寸法Ｌ毎に前記踊場を設置できる踊場設置位置を複数有し、
前記上方に積み上げられる複数の踊場ユニットを設ける代わりに、前記積み上げられる踊場ユニットにおけるそれぞれの踊場の高さ位置と同じ高さ位置となるように、前記複数の踊場が前記柱のいずれかの踊場設置位置に設置されていることを特徴とする立体迷路。
【請求項１２】
請求項１から請求項１１のいずれかに記載の立体迷路において、
前記所定寸法Ｌは、人の通行が可能な高さ方向の寸法に設定され、
前記複数の踊場および複数の階段は、人が通行可能な面積、幅寸法および強度を有し、脱落防止の手すりを備えていることを特徴とする立体迷路。
【請求項１３】
請求項１から請求項１２のいずれかに記載の立体迷路は、
前記複数の踊場、複数の階段および複数の柱が互いに着脱可能に形成されていることを特徴とする立体迷路。
【発明の詳細な説明】
【技術分野】
【０００１】
本発明は、立体迷路に関する。詳しくは、遊具等の立体構造物としての立体迷路、模型玩具としての立体迷路、その他の立体迷路に関する。
【背景技術】
【０００２】
従来、遊園地、博覧会等の敷地内に娯楽施設として建築される立体迷路建築物として、多数の空間が形成されている迷路部と、この迷路部の空間内に、各面にドアを設けた立方体の小部屋を設置した立体迷路建築物が知られている（例えば、特許文献１参照）。
【０００３】
【特許文献１】特開２０００−３００８５９号公報
【発明の開示】
【発明が解決しようとする課題】
【０００４】
しかしながら、特許文献１に記載の立体迷路建築物では、立方体の小部屋は壁板で覆われた密閉空間であり、壁面に窓を取り付けたとしても、全体的には閉塞感を有する構造になっている。すなわち、三次元的な迷路であっても、従来の二次元的な迷路と同様に、板や壁材で囲われているため、開放的な通路を有する重層的で回遊的な立体迷路を構成することができないという問題がある。
【０００５】
本発明の目的は、開放的な通路を構成することができるとともに、三次元的に複雑に入り組んだ通路を構成することができる重層的で回遊的な立体迷路を提供することである。
【課題を解決するための手段】
【０００６】
本発明の立体迷路は、複数の踊場と、これら複数の踊場のうちで所定の踊場間に架設される複数の階段と、前記複数の踊場を基準面上に支持する複数の柱を備え、前記複数の踊場および複数の階段は、連続する通路を構成していることを特徴とする。
【０００７】
このような構成によれば、踊場が複数の柱によって支持されているので、複数の踊場を複数の柱を介して垂直方向に積み上げることができ、また、水平方向にも配設することによって、立体的な踊場の構造物を構成できる。そして、所定の踊場間に階段を架設させることで通路を構成することができ、従来のように視界を遮る板や壁材によって通路を仕切る必要がなく、板や壁材で囲われていない開放的な通路を構成できる。
また、所定の踊場同士に階段が架設されるので、例えば、所定の踊場（または地上）をスタートとして、その踊場（地上）から他の踊場へ、さらに次の踊場へと順次階段が架設され、頂上等にある踊場をゴールとしてその踊場まで階段が架設されることによって、一連の三次元的な通路を構成できる。さらに、１つの踊場に複数の階段を架設してその踊場を分岐点として構成したり、１つの踊場に階段を１つだけ架設してその踊場を行き止まりとして構成したりすることができるので、三次元的に複雑に入り組んだ通路を構成できる。
以上のことから、本発明によれば、開放的な通路を構成することができるとともに、三次元的に複雑に入り組んだ通路を有する重層的で回遊的な立体迷路を構成することができる。
【０００８】
本発明の立体迷路は、前記複数の柱は、所定寸法Ｌの１／ｎずつ異なる長さ寸法を有するｎ種類の柱を備え、前記ｎ種類の複数の柱が前記踊場に連結されることによって、前記踊場の高さ位置が前記所定寸法Ｌの１／ｎずつ異なるｎ種類の踊場ユニットが構成され、前記ｎ種類の踊場ユニットは、隣り合う当該踊場ユニット同士の前記踊場の高さ位置の差が前記所定寸法Ｌの１／ｎとなるように前記基準面に配設され、前記基準面に配設される前記踊場ユニットの上方には、前記所定寸法Ｌの高さ位置にある踊場を有する踊場ユニットが順次積み上げられ、前記階段は、前記所定寸法Ｌの１／ｎの高さ位置の差を有し互いに隣り合う前記踊場間に架設されていることが好ましい。
【０００９】
このような構成によれば、基準面上の隣り合う踊場の高さ位置が所定寸法Ｌの１／ｎだけ異なっているので、これらの踊場同士に階段を順次架設するだけで、所定寸法Ｌの１／ｎ毎に上るあるいは下る一連の通路を容易に構成できる。例えば、ｎ＝４の場合には、図２に示すように４種類の踊場ユニットＩＡ〜IVＡが形成され、図３に示すように（図３は、踊場ユニットの配設を示す側面図である。）、踊場ユニットが図中の左下から右方向にＩＡ、IIＡ、IIIＡ、IVＡ、ＩＡの順に配列される。そして、各々の踊場に階段を架設すれば、図中の第１層の基準面から所定寸法Ｌの１／４ずつ上って、基準面から所定寸法Ｌの高さの踊場に達する通路を容易に構成できる。
さらに、本発明によれば、基準面上の踊場ユニットの上方に、踊場の高さ位置が所定寸法Ｌの高さ位置である踊場ユニットが複数積み上げられているので、所定寸法Ｌの１／ｎ毎に上がるあるいは下りる一連の通路を容易に構成できる。例えば、図３に示すように、基準面から所定寸法Ｌの高さの踊場まで上っていく通路に連続してさらに上っていく通路を構成できる。
また、図４のパターン１に示すように（図４では、踊場ユニットの配設を示す平面図であり、階段Ｓ１の上りを矢印で示す。）、基準面に踊場ユニットを図中の左下から右方向にＩＡ、IIＡ、IIIＡ、IVＡ、ＩＡの配列で構成して、この配列に平行して、別の踊場ユニットを図中の左方向にIVＡ、ＩＡ、IIＡ、IIIＡ、IVＡの配列で構成することができる。この場合、図中の上下に隣り合う踊場ユニットの踊場の高低差は、どれも所定寸法Ｌの１／４となり、これらの踊場間に階段を架設して通路を構成することができる。
以上のことから、ｎ種類の踊場ユニット、および、所定寸法Ｌの1／ｎの高低差を有する階段だけの簡単な組み合わせによって、豊富なパターンの通路を容易に構成することができる。
また、踊場に柱をそれぞれ連結させるだけで踊場ユニットを構成できるので、非常に少ない部品点数で踊場ユニットを製造することができる。さらに、予め、ｎ種類の踊場ユニットを工場で製造しておくことで、施工現場で取り扱う部品点数を少なくでき、効率よく立体迷路を組み立てることができる。
【００１０】
本発明の立体迷路では、前記複数の柱は、所定寸法Ｌの１／４ずつ異なる長さ寸法を有する４種類の柱を備え、前記４種類の複数の柱が前記踊場に連結されることによって、前記踊場の高さ位置が前記所定寸法Ｌの１／４ずつ異なる４種類の踊場ユニットが構成され、前記４種類の踊場ユニットは、隣り合う当該踊場ユニット同士の前記踊場の高さ位置の差が前記所定寸法Ｌの１／４となるように前記基準面に配設され、前記基準面に配設される前記踊場ユニットの上方には、前記所定寸法Ｌの高さ位置にある踊場を有する踊場ユニットが順次積み上げられ、前記階段は、前記所定寸法Ｌの１／４の高さ位置の差を有し互いに隣り合う前記踊場間に架設されていることが好ましい。
【００１１】
このような構成によれば、４種類の踊場ユニットを用いて、基準面上に平面矩形の環状配列を構成する場合に、例えば、図１９の中央部に示すように（図１９では、踊場ユニットの配設を上方から見た場合が示されている。）、一辺が３つの踊場ユニットによる正方形の環状配列を構成する場合に、全ての隣り合う踊場の高低差を所定寸法Ｌの１／４とすることができる。また、この環状配列の外側に、一辺が５つの踊場ユニットによる環状配列および一辺が７つの踊場ユニットによる環状配列を容易に構成することができる。
これに対して、例えば３種類の踊場ユニットや５種類の踊場ユニットを用いて、前述の環状配列を構成する場合には、同じ種類の踊場ユニットを連続して配設したり、隣り合う踊場の高低差が所定寸法Ｌの1／４にならない場合が生じたりして、最小限の踊場ユニットと階段だけで構成することができない。
以上のことから、４種類の踊場ユニットを設けることで、平面的に矩形の環状配列を最小限の踊場ユニットと階段だけで容易に構成することができる。
【００１２】
本発明の立体迷路では、前記階段は、前記所定寸法Ｌの１／４の高さ位置の差を有し互いに隣り合う前記踊場間に架設される階段に加えて、前記所定寸法Ｌの１／２の高さ位置の差を有し互いに隣り合う前記踊場間にも架設される階段も備えていることが好ましい。
【００１３】
このような構成によれば、階段を所定寸法Ｌの１／４の高低差を有する踊場同士に架設するだけでなく、所定寸法Ｌの１／２の高低差を有する踊場同士にも架設することによって、より複雑な通路のパターンを容易に構成することができる。
【００１４】
本発明の立体迷路では、前記複数の踊場のうちで互いに隣り合って当該踊場の高さ位置が同じである前記踊場間には、水平デッキが適宜架設されていることが好ましい。
【００１５】
このような構成によれば、同じ高さ位置の踊場同士を水平デッキで連続させることによって、新しい通路が形成され、より一層複雑な通路を構成できる。
例えば、図４のパターン２に示すように、基準面に踊場ユニットが図中の左下から右方向にＩＡ、IIＡ、IIIＡ、IVＡ、ＩＡの配列で構成され、この配列に平行して、別の踊場ユニットが図中の左方向にＩＡ、IIＡ、IIIＡ、IVＡ、ＩＡの配列で構成される場合に、図中の上下に隣り合う踊場ユニット同士において、踊場の高さ位置が同じものが構成される。これらの高さ位置の等しい踊場同士に水平デッキを架設することによって、新たな通路を構成することができる。
また、水平デッキを適宜、架設するか架設しないかを選択することで、立体迷路の難度を容易に調整することができる。
【００１６】
本発明の立体迷路では、前記階段は、適宜、架設されるか架設されないかを選択可能に構成されていることが好ましい。
【００１７】
このような構成によれば、階段を架設するか架設しないかを個々に選択可能に構成されているので、階段の設置を選択することで通路における分岐点および行き止まりを簡単に構成することができ、迷路の難度を容易に調整することができる。
【００１８】
本発明の立体迷路では、前記複数の柱は、前記所定寸法Ｌの１／２だけ異なる長さ寸法を有する２種類の柱を備え、前記２種類の複数の柱が前記踊場に連結されることによって、前記踊場の高さ位置が前記所定寸法Ｌの高さ位置および前記所定寸法Ｌの１／２の高さ位置である２種類の踊場ユニットが構成され、前記基準面には、仮想の六角形が設定され、この仮想の六角形の各頂点位置には、前記２種類の踊場ユニットが交互に配設され、前記各頂点位置に配設される踊場ユニットの上方には、前記踊場の高さ位置が前記所定寸法Ｌの高さ位置である複数の踊場ユニットが順次積み上げられ、前記仮想の六角形の中心位置上には、前記複数の踊場が配設され、前記中心位置上の踊場は、互いに所定寸法Ｌの１．５倍の高さ位置の差を有して配設されるとともに、前記中心位置上の踊場の少なくとも１つの踊場は、前記各頂点位置上の踊場の少なくとも１つの踊場と同じ高さ位置に配設され、前記階段は、前記各頂点位置上の踊場と前記中心位置上の踊場間に適宜架設される階段と、前記各頂点位置上の２つの踊場間に適宜架設される階段とを有していることが好ましい。
【００１９】
このような構成によれば、図１３に示すように（図１３では、踊場ユニットおよび階段の平面的な配設が概念的に示されている。）、仮想の六角形の各頂点位置の踊場からは、仮想の六角形の中心位置および他の頂点位置に配設される合計５箇所の踊場に対して、適宜、選択して階段を架設することができる。このように、１つの頂点位置の踊場から階段を架設する方向を５方向から選択できるので、踊場の配設位置が平面的に仮想の六角形の中心位置および他の頂点位置だけであっても、踊場および階段によって三次元的に複雑に入り組んだ通路を構成することができる。さらに、２種類の踊場ユニットが構成されているだけなので、少ない踊場ユニットの種類で、三次元的に複雑に入り組んだ通路を有する立体迷路を構成することができる。
【００２０】
本発明の立体迷路では、前記仮想の六角形の各頂点位置のうちで、前記踊場の高さ位置が前記所定寸法Ｌの１／２の高さ位置である踊場ユニットが配設される頂点位置上には、前記２種類の踊場ユニットの代わりに、前記複数の踊場が、所定寸法Ｌの高さ位置の差を有して配設され、前記複数の踊場は、隣り合う踊場に階段を介して支持されていることが好ましい。
【００２１】
このような構成によれば、例えば、図７に示すように（図７では、一部の階段の図示を省略した立体迷路の斜視図が示されている。）、第６頂点上の最下部の踊場Ｂは、隣りの第５頂点上の最下部の踊場ユニットＩＢにおける踊場Ｂとの間に架設される階段Ｓ２によって踊場ユニットＩＢに支持される。このように第６頂点上の踊場ユニットＩＢはいずれも、隣り合う踊場Ｂまたは踊場Ｃに階段を介して支持されるので、上下の踊場Ｂ間に柱を設ける必要がなくなる。このように、第６頂点上の各踊場Ｂにおいて視界を遮るものが更に少なくなり、より開放的な通路を有する立体迷路を構成することができる。
【００２２】
本発明の立体迷路では、前記仮想の六角形の各頂点位置上に配設される踊場ユニットのうちで、最上部に配設される踊場ユニットに支持される頂部構造体を備え、前記仮想の六角形の中心位置上に配設される複数の踊場は、前記頂部構造体に下垂されるワイヤによって支持されていることが好ましい。
【００２３】
このような構成によれば、例えば、図１０および図１１に示すように（図１１では、仮想の六角形の中心位置上の踊場Ｃの配設のみが示されている。）、仮想の六角形の中心位置上に配設される複数の踊場Ｃは、図１０の頂部構造体３から下垂されるワイヤ２によって支持される。このように柱よりも径寸法の小さいワイヤで踊場Ｃを支持することで、踊場Ｃからの視界を一層良好にすることができる。
【００２４】
本発明の立体迷路では、前記基準面には、複数の前記仮想の六角形が並んだ亀甲パターンが設定されていることが好ましい。
【００２５】
このような構成によれば、基準面には、複数の仮想の六角形が並んだ亀甲パターンが設定されているので、亀甲パターンの各仮想の六角形の頂点位置にそれぞれ踊場ユニットを配設して、各仮想の六角形の中心位置にそれぞれ踊場を配設し、単独の仮想の六角形の各頂点および中心位置に踊場ユニットおよび踊場を配設された立体迷路よりも、三次元的に一層複雑に入り組んだ通路を有する立体迷路を構成することができる。
【００２６】
本発明の立体迷路では、前記柱は、所定寸法Ｌ毎に前記踊場を設置できる踊場設置位置を複数有し、前記上方に積み上げられる複数の踊場ユニットを設ける代わりに、前記積み上げられる踊場ユニットにおけるそれぞれの踊場の高さ位置と同じ高さ位置となるように、前記複数の踊場が前記柱のいずれかの踊場設置位置に設置されていることが好ましい。
【００２７】
このような構成によれば、踊場ユニットを用いなくても、柱の所定の踊場設置位置に踊場を設置することによって、積み上げられる踊場ユニットにおける踊場の高さ位置と同じ高さ位置に踊場を設置することができる。従って、踊場ユニットを用いた場合と同じように複雑に入り組んだ通路を有する立体迷路を構成することができる。
【００２８】
本発明の立体迷路では、前記所定寸法Ｌは、人の通行が可能な高さ方向の寸法に設定され、前記複数の踊場および複数の階段は、人が通行可能な面積、幅寸法および強度を有し、脱落防止の手すりを備えていることが好ましい。
【００２９】
このような構成によれば、人（体験者）が通行できるように踊場および階段が構成されているので、体験者が実際に通路を通って空間を上り下りできる体験型環境彫刻としての立体迷路を構成することができる。
例えば、通路が開放的であるので、体験者がゴール（頂上）までの見通しを視覚的に立て易いはずであるにも関わらず、行き止まりを容易に避けられなかったり、ゴール（頂上）が見えていながらもさらに上る階段がなくて一旦下りなければならなかったりして迷路を楽しむことができる。また、通路が開放的に構成されているので、体験者が閉じ込められた気分になることがなく、体験者が気持ちよく立体迷路を体験できる。
また、立体迷路内で体験者が追いかけっこをしたり、体験者に入口から出口（頂上）へ空間的あるいは時間的に最短の通路を通って到達することを要求する頂上（ゴール）到達競争や道筋探索ゲームを行ったりすることができる。
また、踊場および階段には、脱落防止の手すりが設けられているので、体験者が安全に立体迷路を体験することができる。
【００３０】
本発明の立体迷路では、前記複数の踊場、複数の階段および複数の柱が互いに着脱可能に形成されていることが好ましい。
【００３１】
このような構成によれば、踊場、階段および柱が互いに着脱可能に形成されているので、これらの部品を自由に組み立てたり、分解したりして立体迷路の模型玩具として遊んだり、観賞したりすることができる。
【発明を実施するための最良の形態】
【００３２】
［第１実施形態（矩形型立体迷路）］
本発明の第１実施形態を図１から図５に基づいて説明する。
なお、後述する第２実施形態以降において、以下に説明する第１実施形態での構成部材と同じ構成部材および同様な機能を有する構成部材には同一符号を付し、説明を簡単にあるいは省略する。
【００３３】
［１−１．全体構成］
図１は、本実施形態における立体迷路としての矩形型立体迷路１０１を示す全体斜視図である。図２は、矩形型立体迷路を構成する踊場ユニットＩＡ〜IVＡを示す斜視図である。図３は、矩形型立体迷路を示す立面図。図４は、踊場ユニットＩＡ〜IVＡの平面配列のパターンを示す概念図である。図５は、基準面に配設される踊場ユニットＩＡ〜IVＡの平面配列を示す斜視図である。図６は、矩形型立体迷路を上方から見た平面図である。
【００３４】
図１に示すように、矩形型立体迷路１０１は、平面的に全体矩形に形成されており、基本ユニットとしての４種類の踊場ユニットＩＡ〜IVＡと、複数の階段Ｓ１とを備えて構成されている。
踊場ユニットＩＡ〜IVＡは、図２に示すように、正方形板状の踊場Ａを共通して備え、この踊場Ａに長さ寸法が所定寸法Ｌの１／４ずつ異なる４種類の柱Ｐ１〜Ｐ４がそれぞれ４本ずつ連結されて構成されている。踊場ユニットＩＡ，IIＡ，IIIＡ，IVＡにおいて、それぞれの柱Ｐ１，Ｐ２，Ｐ３，Ｐ４の下端から踊場Ａの上面までの高さ寸法は、それぞれ所定寸法Ｌ，Ｌ／４，Ｌ／２，３Ｌ／４である。このように、踊場ユニットＩＡ〜IVＡにおける踊場Ａの高さ位置は、それぞれＬ／４ずつ異なっている。
【００３５】
次に、踊場ユニットＩＡ〜IVＡの垂直方向の配設構成を図３に基づいて説明する。
まず、基準面において図中の左下から右（水平方向）に向かって踊場ユニットＩＡ〜IVＡが、ＩＡ，IIＡ，IIIＡ，IVＡの順番を繰り返して配列されている。このように基準面上には、隣り合う踊場Ａの高さ位置の高低差が所定寸法Ｌの１／４となるように踊場ユニットＩＡ〜IVＡが配設されている。
これらの踊場ユニットＩＡ〜IVＡの上方には、複数の踊場ユニットＩＡが垂直方向に順次積み上げられている。例えば、図中の左端に示すように、踊場ユニットＩＡが上方に５つ連続して積み上げられたものや、その右側に示すように、基準面上の踊場ユニットIIＡの上に踊場ユニットＩＡが５つ積み上げられたもの等が構成されている。
【００３６】
階段Ｓ１は、所定寸法Ｌの１／４の高低差を有して構成されている。そして、図３に示すように、階段Ｓ１は、互いに隣り合うとともに、所定寸法Ｌの１／４の高低差を有する２つの踊場Ａ間に適宜架設されている。互いに隣り合って所定寸法Ｌの１／４の高低差を有する２つの踊場Ａ間であっても、階段Ｓ１が架設されない箇所も複数設けられている。また、階段Ｓ１は、踊場ユニットＩＡの真下の基準面と、踊場ユニットIIＡの踊場Ａとの間にも架設されている。
【００３７】
次に、踊場ユニットＩＡ〜IVＡの基準面上における水平方向の配設構成について図４を用いて説明する。水平方向の配設構成としては大きく２パターンある。図中の矢印は、階段Ｓ１の上り方向を示す。
まず、パターン１では、踊場ユニットが図中の左下から右方向（水平方向）にＩＡ，IIＡ，IIIＡ，IVＡ，ＩＡの順に配列され、階段Ｓ１が架設されている。この配列に平行して、別の踊場ユニットが図中の右上から左方向にIVＡ，ＩＡ，IIＡ，IIIＡ，IVＡの順に配列されている。この場合、図中の上下に隣り合う踊場ユニットの踊場Ａの高低差は、どれも所定寸法Ｌの１／４となり、これらの踊場Ａ間に階段Ｓ１を架設して通路を構成することができる。
一方、パターン２では、図中の下側の配列は、パターン１と同じで、図中の上側の配列は、パターン１の配列が右にずれた配列であり、踊場ユニットが図中の右から左方向にＩＡ，IIＡ，IIIＡ，IVＡ，ＩＡの順に配列されている。この場合、図中の上下に隣り合う踊場ユニットの踊場Ａの中で、高さ位置が等しくなる踊場Ａが左右方向の配列において１つ置きに構成される。これらの高さ位置の等しい踊場Ａ間には、水平デッキＺ１が架設されている。
【００３８】
なお、本実施形態では、パターン２を基本とする配設構成が採用されており、基準面上における踊場ユニットＩＡ〜IVＡは、図５に示すような配設構成となっている。また、矩形型立体迷路１０１を上方から見た場合の配設構成を図６に示す。基準面上には、直交する２群の平行線からなる仮想の直交グリッドパターンが設定されており、その各交点に踊場ユニットＩＡ〜IVＡが配設されている。
図５および図６に示すように、水平方向の配設構成において外周部の踊場ユニットＩＡ〜IVＡは、図中の左下から反時計周りにＩＡ，IIＡ，IIIＡ，IVＡ，ＩＡの順に配列され、反時計周り環状配列が構成されている。この反時計周り環状配列の内側には、踊場ユニットＩＡ〜IVＡが時計回りに配列され、時計回り環状配列が構成されている。これらの内外の環状配列において、時計回り環状配列の踊場と、これに隣り合う反時計周り環状配列の踊場との高さ位置が同じとなる箇所が複数箇所に設けられている。これらの踊場Ａ間には、水平デッキＺ１が架設されている。階段Ｓ１および水平デッキＺ１は、設置可能な箇所にすべて架設されているわけではなく、設置可能な箇所に架設されるか架設されないかを選択可能に構成されている。
なお、図６において、図中左上の踊場ユニットＩＡの踊場Ａの右に架設される階段Ｓ１は、この右の踊場ユニットIVＡの最上部の踊場ユニットＩＡの踊場Ａとは接続されず、１段下の踊場ユニットＩＡの踊場Ａと接続されている。そのため、図中では、階段Ｓ１の右部分を省略している。
以上に説明した踊場ユニットＩＡ〜IVＡの垂直方向の配設構成と、水平方向の配設構成によって、矩形型立体迷路１０１は、図１に示すような立体構造物として構成されている。
【００３９】
本実施形態において、所定寸法Ｌは、人の通行が可能な高さ方向の寸法に設定されている。また、所定寸法Ｌは、この所定寸法Ｌに高さ寸法が設定された踊場ユニットＩＡ、および、同寸法に長さ寸法が設定された柱Ｐ１の運搬や取り扱いが容易となるように設定されている。そして、踊場Ａ、階段Ｓ１および水平デッキＺ１は、人が通行可能な面積、幅寸法および強度を有し、脱落防止の手すり（不図示）を備えて構成されている。踊場Ａに柱Ｐ１〜Ｐ４を連結する際、また、階段Ｓ１を架設する際には、特殊金具を使用して連結する。
【００４０】
［１−２．組立方法］
次に、矩形型立体迷路１０１の組立方法について説明する。
まず、予め製造工場で、踊場Ａと４種類の柱Ｐ１〜Ｐ４とによって、４種類の踊場ユニットＩＡ〜IVＡをそれぞれ複数組み立てておき、施工現場に搬送する。そして、施工現場において踊場ユニットＩＡ〜IVＡを基準面上に配列させ、その上に、複数の踊場ユニットＩＡを積み上げて特殊金具で連結させる。さらに、高低差が所定寸法Ｌの１／４となる踊場Ａ同士を適宜階段Ｓ１で接続し、また、同じ高さの踊場Ａ同士を適宜水平デッキＺ１で接続する。
このようにして、矩形型立体迷路１０１が組み立てられる。
【００４１】
このような本実施形態によれば、以下のような効果がある。
互いにＬ／４の高低差を有する踊場Ａ同士に階段Ｓ１を架設することと、同じ高さ位置の踊場Ａ同士に水平デッキＺ１を架設することによって通路が構成されているので、従来のように視界を遮る板や壁材によって通路を仕切る必要がなく、板や壁材で囲われていない開放的な通路を構成できる。
【００４２】
踊場Ａ同士に階段Ｓ１または水平デッキＺ１が架設されるので、所定の踊場Ａ（または基準面）をスタートとして、その踊場Ａ（基準面）から他の踊場Ａへ、さらに次の踊場Ａへと順次階段Ｓ１または水平デッキＺ１が架設され、頂上等にある踊場Ａをゴールとしてその踊場Ａまでこれらが架設されることによって、一連の三次元的な通路を構成できる。１つの踊場Ａに複数の階段Ｓ１を架設してその踊場Ａを分岐点として構成したり、１つの踊場Ａに階段を１つだけ架設してその踊場Ａを行き止まりとして構成したりすることができるので、三次元的に複雑に入り組んだ通路Ａを有する重層的で回遊的な立体迷路を構成できる。
【００４３】
４種類の踊場ユニットＩＡ〜IVＡ、階段Ｓ１および水平デッキＺ１だけの簡単な組み合わせによって、豊富なパターンの通路を容易に構成することができ、組み合わせ可能な通路パターンの数を二次元的な通路の場合と比べて飛躍的に増大させることができる。また、階段Ｓ１および水平デッキＺ１を適宜、架設するか架設しないかを選択するだけで、迷路の難度を容易に調整することができる。
【００４４】
人（体験者）が通行できるように踊場Ａ、階段Ｓ１および水平デッキＺ１が構成されているので、体験者が実際に通路を通って空間を上り下りできる体験型環境彫刻としての矩形型立体迷路１０１を構成できる。そして、内部からも外部からも全体を視覚的にとらえることが容易で、実際に中に入って、その開放的な空間を体験することができる。
また、踊場Ａ、階段Ｓ１および水平デッキＺ１には、脱落防止の手すりが設けられているので、体験者が安全に立体迷路を体験することができる。
【００４５】
矩形型立体迷路１０１を構成する階段としては、階段Ｓ１の１種類のみとすることができる。また、踊場Ａと柱Ｐ１〜Ｐ４の共通部品の組み合わせによるユニットシステム化（プレハブ化）が可能で、予め４種類の踊場ユニットＩＡ〜IVＡを工場で製造しておくことで、施工現場で取り扱う部品点数を少なくでき、効率よく立体迷路を組み立てることができる。
三次元的な通路を有しているので、狭い敷地を有効利用する場合等に有効である。
【００４６】
なお、本実施形態では、踊場ユニットＩＡを積み上げた際の構造的な強度を確保するために、柱Ｐ１間にブレスを設けたりしてもよい。
また、本実施形態では、踊場ユニットＩＡを積み上げる数量が５〜６となっているが、本発明ではこの数量については適宜設定可能である。この積み上げ数を変更するにしても共通の踊場ユニットＩＡだけであるので、容易に数量を変更することができる。
【００４７】
また、本実施形態では、図６に示すように、踊場ユニットＩＡ〜IVＡの水平方向の配列が横５行と縦７列の５×７行列の配列となっているが、これらの行数、列数は、少なくとも隣り合う踊場ユニットＩＡ〜IVＡの踊場Ａの高低差が所定寸法Ｌの１／４となっていれば、適宜変更することができる。また、踊場ユニットＩＡ〜IVＡが反時計回りにＩＡ，IIＡ，IIIＡ，IVＡの順番を繰り返し、長方形の外周に沿って配列され、この内側には、外周とは逆に時計回りに配列されているが、本発明では、少なくとも隣り合う踊場ユニットＩＡ〜IVＡの踊場Ａの高低差が所定寸法Ｌの１／４となっていれば、どのように配列されていてもよい。
【００４８】
［第２実施形態（亀甲型立体迷路）］
次に、本発明の第２実施形態を図７〜図１４に基づいて説明する。図７は、亀甲型立体迷路１０２を部分的に省略して示す全体斜視図である。図８は、踊場ユニットＩＢを示す平面図および側面図である。図９は、踊場Ｃを示す平面図および側面図である。図１０は、階段を一部省略して示す全体斜視図である。図１１は、踊場Ｃの配列を示す斜視図である。図１２は、階段を示す平面図および側面図である。図１３は、平面配設の概念を示す模式図である。図１４は、第１層から第３層までを示す平面図である。
【００４９】
本実施形態における亀甲型立体迷路１０２では、第１実施形態において踊場ユニットＩＡ〜IVＡが仮想の直交グリッドパターンの各交点に配設されることに対して、図７に示すように、踊場ユニットＩＢと踊場Ｂ，Ｃとが基準面上の仮想の正六角形の各頂点位置および中心位置に配設された全体として正六角柱状の立体構造物として構成される点に大きな特徴を有する。以下、相違点について詳細に説明する。
【００５０】
図７に示すように、亀甲型立体迷路１０２は、垂直方向に複数配設された踊場ユニットＩＢ（図中では一部を二点鎖線で表す）と、柱Ｐ５（二点鎖線で表す）と、２種類の踊場Ｂ，Ｃと、３種類の階段Ｓ２，Ｓ３，Ｓ４との組み合わせによって構成される。また、亀甲型立体迷路１０２は、図７では図面を簡略にするため図示を省略するが、踊場Ｃを支持する後述のワイヤ２、および、頂部構造体３も備える。
【００５１】
踊場ユニットＩＢは、図８に示すように、中心角αの扇形の床面を有する板状の踊場Ｂと、円柱状の柱Ｐ５とから構成される。踊場ユニットＩＢにおける踊場Ｂの高さ位置は、所定寸法Ｌの高さ位置に設定される。柱Ｐ５は、踊場Ｂの中心角αを有する頂部の底面に連結される。踊場Ｂの中心角αは１２０度に設定される。踊場Ｂの扇形床面における円弧部には、後述する階段Ｓ２，Ｓ３，Ｓ４を取り付ける取付部Ｂ１〜Ｂ５が５箇所形成される。
踊場Ｃは、図９に示すように、六角形の床面を有する板状に形成される。六角形の床面は、長辺部と短辺部とを有し、３箇所の短辺部の側面には、後述する階段Ｓ３を取り付け可能な取付部Ｃ１〜Ｃ３が形成される。３箇所の長辺部の側面には、後述するワイヤ２が連結される。
【００５２】
踊場ユニットＩＢ、および、２種類の踊場Ｂ，Ｃの配列構成について、図１０に基づいて説明する。図１０では、亀甲型立体迷路１０２における階段Ｓ２，Ｓ３，Ｓ４の図示を省略する。また、基準面から所定寸法Ｌの高さ位置までの空間を第１層とし、この第１層から順次所定寸法Ｌの高さ毎の空間を第２層〜第８層とする。
基準面上の仮想の正六角形の各頂点のうち隣り合わない３つの頂点（図１０における基準面の左端の頂点と、この頂点を第１頂点として時計回りに３番目の第３頂点と、５番目の第５頂点）位置には、踊場ユニットＩＢが垂直方向に積み上げられる。これらの踊場ユニットＩＢにおける踊場Ｂの垂直方向の間隔は、所定寸法Ｌとなるが、所々任意の位置の踊場ユニットＩＢは、柱Ｐ５に置き換えられ、柱Ｐ５を挟む上下の踊場ユニットＩＢにおける踊場Ｂの間隔は、所定寸法Ｌの２倍となる。
【００５３】
正六角形の第２，第４，第６頂点上には、踊場ユニットＩＢではなく、踊場Ｂが垂直方向に配設される。これらの踊場Ｂの垂直方向の間隔は、所定寸法Ｌに設定される。
正六角形の第１，第３，第５頂点上に配設された踊場ユニットＩＢにおける踊場Ｂの高さ位置は、第１層〜第８層のいずれかの層の上端の高さ位置と等しくなるが、正六角形の第２，第４，第６頂点上の踊場Ｂは、各層の中間の高さ位置に配設される。このようにして、各頂点上のどの踊場Ｂも、隣り合う頂点上の踊場Ｂに対して所定寸法Ｌの１／２の高さ位置の差を有する。
【００５４】
第８層部分には、正六角形の第１，第３，第５頂点上に積み上げられた踊場ユニットＩＢに支持される頂部構造体３が設けられる。頂部構造体３は、第１，第３，第５頂点上の各踊場ユニットＩＢを連結し、後述する正六角形の中心位置上のワイヤ２を支持する。
踊場Ｃは、図１１に示すように、正六角形の中心位置上に垂直方向に配設される。これらの踊場Ｃの垂直方向の間隔は、所定寸法Ｌの１．５倍（３Ｌ／２）に設定され、頂部構造体３から垂下する３本のワイヤ２に固定される。最下位置の踊場Ｃと、基準面との間隔は、所定寸法Ｌの半分（Ｌ／２）に設定され、最下位置の踊場Ｃは、第２，第６頂点の最下位置の踊場Ｂと同じ高さ位置に配設される。これによって、中心位置上のどの踊場Ｃも、各頂点上のいずれかの踊場Ｂに対して所定寸法Ｌの１／２の高さ位置の差を有する。
【００５５】
次に、正六角形の第２，第４，第６頂点上の踊場Ｂの支持方法について説明する。踊場Ｂは、図１０において一部図示する階段Ｓ２を介して、隣り合う踊場ユニットＩＢに支持される。例えば、正六角形の第６頂点上の最下位置の踊場Ｂは、基準面との間に階段Ｓ２が架設されるとともに、第５頂点上の最下位置の踊場ユニットＩＢとの間にも階段Ｓ２が架設されることによって支持される。
または、踊場Ｂは、階段Ｓ３を介して正六角形の中心位置上に配設される踊場Ｃに支持される。例えば、図１０の正六角形の第６頂点の下から２番目の踊場Ｂは、踊場Ｃとの間に階段Ｓ３が架設されることによって支持される。
【００５６】
階段Ｓ２〜Ｓ４は、図１２に示すように、階段Ｓ２，Ｓ３の高低差が所定寸法Ｌの１／２となり、階段Ｓ４の高低差が所定寸法Ｌとなるように構成される。階段Ｓ３には歩廊部Ｓ３１が設けられ、長さ寸法ＬＳ３は、歩廊部Ｓ３１分だけ階段Ｓ２の長さ寸法ＬＳ２より長い。階段Ｓ４は、両端部に歩廊部Ｓ４１，Ｓ４３を備え、中央部に歩廊部Ｓ４２を備え、長さ寸法ＬＳ４を有する。
【００５７】
図１３に示すように、正六角形の各頂点位置上の踊場Ｂは、踊場Ｂの取付部Ｂ１が隣り合う踊場Ｂの取付部Ｂ５と対面する向きで配設される。この踊場Ｂ間の水平方向の間隔となるように階段Ｓ２の長さ寸法ＬＳ２が設定され、踊場Ｂ間に階段Ｓ２が架設される。
また、正六角形の中心位置上の踊場Ｃは、踊場Ｃの取付部Ｃ１〜Ｃ３が各頂点位置上の踊場Ｂの取付部Ｂ３と対面する向きで配設される。上下に配設される踊場Ｃ同士は、互いに水平方向に１８０度回転する向きで交互に配設される。踊場Ｂと踊場Ｃと間の水平方向の間隔となるように階段Ｓ３の長さ寸法ＬＳ３が設定され、踊場Ｂと踊場Ｃと間に階段Ｓ３が架設される。
また、正六角形の各頂点のうちで１つ頂点を間に挟んだ２つの頂点位置上の踊場Ｂ同士は、一方の取付部Ｂ２と他方の取付部Ｂ４とが対面する向きで配設される。この踊場Ｂ間の水平方向の間隔となるように階段Ｓ４の長さ寸法ＬＳ４が設定され、踊場Ｂ間に階段Ｓ４が架設される。
【００５８】
図１４には、第１層から第３層までに設けられた踊場ユニットＩＢ、２種類の踊場Ｂ，Ｃおよび３種類の階段Ｓ２，Ｓ３，Ｓ４の配列を模式的に示す。本実施形態では、図７の矢印で示すように、正六角形の第１頂点の基準面から反時計周りに第６頂点の最下部の踊場Ｂ、第５頂点の最下部の踊場ユニットＩＢの踊場Ｂへと所定寸法Ｌの１／２の高低差毎にらせん状に上る通路が形成される。さらに、３つ以上の階段Ｓ２〜Ｓ４が架設される踊場Ｂ，Ｃによって通路の分岐点が形成される。図１４には示されていないが、階段Ｓ２〜Ｓ４を適宜省略すれば、通路の行き止まりも容易に形成することができる。
【００５９】
このような本実施形態によれば、前述の効果に加えて以下のような効果がある。
仮想の六角形の各頂点位置の踊場Ｂからは、六角形の中心位置および他の頂点位置に配設される合計５箇所の踊場Ｂ，Ｃに対して、適宜、選択して階段Ｓ２〜Ｓ４を架設することができる。このように、１つの頂点位置の踊場Ｂから階段Ｓ２〜Ｓ４を架設する方向を５方向から選択できるので、踊場Ｂ，Ｃの配設位置が仮想の六角形の中心位置および６箇所の頂点位置だけであっても、踊場Ｂ，Ｃおよび階段Ｓ２〜Ｓ４によって三次元的に複雑に入り組んだ通路を構成することができる。
【００６０】
また、第２頂点，第４頂点，第６頂点上の各踊場ユニットＩＢはいずれも、隣り合う踊場Ｂまたは踊場Ｃに階段Ｓ２，Ｓ３を介して支持されるので、上下の踊場Ｂ間に柱を設ける必要がなくなる。このように、各踊場Ｂにおいて視界を遮るものが更に少なくなり、より開放的な通路を有する立体迷路を構成することができる。
【００６１】
また、仮想の六角形の中心位置上に配設される複数の踊場Ｃは、頂部構造体３から下垂されるワイヤ２によって支持される。このように柱よりも径寸法の小さいワイヤ２で踊場Ｃを支持することで、踊場Ｃからの視界を一層良好にすることができる。
【００６２】
また、基準面上の亀甲パターンの仮想の各正六角形の各頂点および中心位置に、本実施形態の亀甲型立体迷路１０２を複数配設することで、一層複雑な通路を有する立体迷路を容易に構成することもできる。
【００６３】
［第３実施形態（矩形型立体迷路）］
次に、本発明の第３実施形態を図１５〜図１８に基づいて説明する。図１５は、矩形型立体迷路１０３を構成する踊場を示す平面図である。図１６は、階段を示す平面図および側面図である。図１７は、平面配設を示す全体平面図である。図１８は、矩形型立体迷路を示す全体斜視図である。
【００６４】
本実施形態における矩形型立体迷路１０３では、５種類の踊場Ａ，Ｄ，Ｅ，Ｆ，Ｇを備えた踊場ユニットおよび２種類の階段Ｓ１，Ｓ５を組み合わせて構成されている点に特徴を有する。
５種類の踊場は、図１５に示すように、正方形の踊場Ａと、踊場Ａの４倍の面積を有する正方形の踊場Ｄと、踊場Ａの３倍の面積を有するＬ字形の踊場Ｅと、踊場Ａの２倍の面積を有する長方形の踊場Ｆと、踊場Ａの５倍の面積を有する細長い長方形の踊場Ｇとを備える。
【００６５】
これらの５種類の踊場Ａ，Ｄ，Ｅ，Ｆ，Ｇには、第１実施形態の踊場ユニットＩＡ〜IVＡと同様に、柱Ｐ１〜Ｐ４がそれぞれ連結されて、互いの踊場の高さ位置が所定寸法Ｌの１／４ずつ異なる踊場ユニットが構成される。例えば、踊場Ｄに対して、踊場ユニットＩＤ〜IVＤが構成される。各踊場ユニットは、踊場の高さ位置を示すローマ数字Ｉ〜IVと、踊場の形状を現す英文字Ｄとを組み合わせた符号ＩＤ〜IVＤによって示される。
【００６６】
2種類の階段Ｓ１，Ｓ５は、図１６に示すように、所定寸法Ｌの１／４の高低差を有し、長さ寸法ＬＡの階段Ｓ１と、所定寸法Ｌの１／２の高低差を有し、階段Ｓ１の長さ寸法ＬＡの３倍の長さ寸法３ＬＡを有する階段Ｓ５とを備える。
【００６７】
各踊場ユニットは、図１７に示すように、基準面上の直交グリッドパターンの各交点に配設される。第１実施形態では、各交点にそれぞれ１つずつ踊場ユニットが配設されていたのに対し、本実施形態では、各交点に複数の踊場ユニットを組み合わせて配設されているものを含んでいる点が異なる。この踊場ユニットの組み合わせについては、互いに踊場の高さ位置が異なるもの同士が組み合わされる。例えば、図１７中の下方に示されるように、踊場ユニットＩＥと踊場ユニットIIIＡ との組み合わせが採用される。
【００６８】
また、単独の踊場ユニットおよび組合せの踊場ユニットは、互いの水平方向の間隔が寸法ＬＡまたは寸法３ＬＡとなるように配設される。
隣り合う踊場ユニットの間隔が寸法ＬＡで、かつ、互いの踊場の高低差が所定寸法Ｌの１／４となる踊場同士に、階段Ｓ１が架設される。また、隣り合う踊場ユニットの間隔が寸法３ＬＡで、かつ、互いの踊場の高低差が所定寸法Ｌの１／２となる踊場同士に、階段Ｓ５が架設される。
以上のような、踊場ユニットの配列によって、図１８に示すような矩形型立体迷路１０３が構成される。
【００６９】
このような本実施形態によれば、前述の効果に加えて以下のような効果がある。
直交グリッドパターンの各交点に、複数の踊場ユニットを組み合わせたものが配設されるので、各交点上の踊場から隣りの踊場に架設される階段Ｓ１，Ｓ５の数量が増大し、一層複雑な通路を有する立体迷路を構成することができる。
また、所定寸法Ｌの１／４の高低差を有する踊場同士に階段Ｓ１を架設するだけでなく、所定寸法Ｌの１／２の高低差を有する踊場同士に階段Ｓ５を架設することによって、より複雑な通路のパターンを容易に構成できる。
【００７０】
［第４実施形態（矩形型立体迷路）］
次に、本発明の第４実施形態を図１９および図２０に基づいて説明する。
図１９は、矩形型立体迷路１０４を示す平面図である。図２０は、立体迷路を示す断面図である。
本実施形態における矩形型立体迷路１０４は、全体正方形の敷地内に第１実施形態と同様の踊場ユニットＩＡ〜IVＡが配設され、大、中、小の３つの環状配列が形成される点に特徴を有する。
【００７１】
図１９に示すように、矩形型立体迷路１０４は、正方形の１辺に７つの踊場ユニットＩＡ〜IVＡが配設された大環配列１１（図１９中の二点鎖線に沿った配列）と、この内側に１辺に５つの踊場ユニットＩＡ〜IVＡが配設された中環配列１２と、さらに内側に一辺に３つの踊場ユニットＩＡ〜IVＡが配設された小環配列１３とを有する。
図２０に示すように、大環配列１１の各踊場ユニットＩＡ〜IVＡに積み上げられる踊場ユニットＩＡの数を、小環配列１３上の積み上げ数よりも大きくするとともに、各踊場ユニットＩＡ〜IVＡの踊場Ａ同士に、高低差Ｌ／４を有する階段Ｓ６および水平デッキＺ２を適宜架設して、全体的に中央部が窪んだ臼型構造を有する立体迷路が形成される。
【００７２】
このような本実施形態によれば、前述の効果に加えて以下のような効果がある。
４種類の踊場ユニットＩＡ〜IVＡを用いて、基準面上に一辺が３つの踊場ユニットによる正方形の小環配列１３を構成した場合に、全ての隣り合う踊場Ａの高低差を所定寸法Ｌの１／４とすることができる。また、この小環配列１３の外側に、一辺が５つの踊場ユニットによる中環配列１２および一辺が７つの踊場ユニットによる大環配列１１をそれぞれ、小環配列と同様に容易に構成することができる。
【００７３】
また、本実施形態の矩形型立体迷路１０４に係る変形例として、図２１に示すように、大環構造１４、中環構造１５および小環構造１６を備える矩形型立体迷路１０４１を容易に構成することができる。矩形型立体迷路１０４１は、大環構造１４の積み上げ数を小環構造１６の積み上げ数よりも大きく設定して、全体山型構造として構成される。
【００７４】
［第５実施形態（亀甲型立体迷路）］
次に、本発明の第５実施形態を図２２，図２３に基づいて説明する。
図２２は、亀甲型立体迷路１０５を構成する踊場を示す平面図である。図２３は、亀甲型立体迷路の平面配設を示す全体平面図である。
本実施形態における亀甲型立体迷路１０５は、踊場ユニットおよび踊場が正六角形の頂点および中心位置に配列されている点で、第２実施形態と共通しているが、本実施形態では踊場ユニットおよび踊場が２つ並んだ正六角形の各頂点および中心に配設されている点、および、踊場の形状の種類が７種類ある点に特徴を有する。
【００７５】
７種類の踊場は、第２実施形態と同様の踊場Ｃと、図２２に示すように、４つの取付部を有する全体６角形の踊場Ｈと、７つの取付部を有する全体８角形の踊場Ｊと、正六角形の踊場Ｋと、この踊場Ｋの形状に基づき４つの取付部を有する全体５角形の踊場Ｍと、踊場Ｋの形状に基づき３つの取付部を有する全体５角形の踊場Ｎと、踊場Ｋの形状に基づき２つの取付部を有する全体５角形の踊場Ｑとを備える。
【００７６】
踊場Ｈ，Ｊ，Ｋには、第２実施形態の踊場Ｂと同様に柱が連結され、踊場ユニットＩＨ，ＩＪ，ＩＫが構成される。正六角形の隣り合う頂点に配設された踊場ユニットＩＨ，ＩＪ，ＩＫ、の踊場Ｈ，Ｊ，Ｋおよび踊場Ｍ，Ｎ同士の間、および、頂点の踊場と中央位置の踊場Ｃとの間には、所定寸法Ｌの１／２の高低差の階段Ｓ２が架設される。
また、正六角形の頂点のうち、隣り合わない３頂点に配設された踊場ユニットＩＨ，ＩＪの踊場Ｈ，Ｊ同士の間には、所定寸法Ｌの高低差の階段Ｓ７が架設される。
【００７７】
このような構成によれば、仮想の亀甲パターンの六角形の各頂点および中心位置に踊場ユニットおよび踊場が配設されているので、それらの踊場に階段を架設することで、複雑な通路を有する立体迷路を構成することができる。また、このような配設を水平方向に繰り返し配設することによって、立体迷路を三次元的に制限無く広げることができる。
【００７８】
［第６，第７，第８，第９実施形態（矩形型立体迷路）］
次に、本発明の第６〜第９実施形態を図２４〜図２８に基づいて説明する。
図２４〜図２７は、第６〜第９実施形態に係る矩形型立体迷路１０６〜１０９を示す平面図である。図２８は、これらの立体迷路を構成する踊場を示す平面図である。
第６〜第９本実施形態における矩形型立体迷路１０６〜１０９は、直交グリッドパターン上の各交点に踊場ユニットが配列されている点で、第１実施形態と共通しているが、本実施形態では各踊場ユニットの踊場から直交グリッドパターン上において斜め隣りの踊場に向かって架設される階段を含んでいる点に特徴を有する。
【００７９】
図２４〜図２７に示すように、矩形型立体迷路１０６〜１０９では、４×４行列または５×５行列の直交グリッドパターンの各交点に、図２８に示すように、７種類の踊場Ａ，Ｒ，Ｔ，Ｕ，Ｗ，Ｘ，Ｙを備える踊場ユニットのいずれかが配設される。
これらの踊場ユニットの中で、互いに隣り合う踊場ユニットの踊場間には、階段Ｓ６，Ｓ８が架設されるとともに、互いに斜め方向に隣り合う踊場ユニットの踊場間には、階段Ｓ９，Ｓ１０が架設される。
【００８０】
このように、７種類の踊場Ａ，Ｒ，Ｔ，Ｕ，Ｗ，Ｘ，Ｙのいずれかを有する踊場ユニットを備えて構成された矩形型立体迷路１０６〜１０９は、斜め方向に架設される階段Ｓ９，Ｓ１０が存在している分、構成可能な通路のパターン数を増大させることができる。これらの構造は、亀甲型立体迷路の構造を一部有した矩形型立体迷路の構造なので、適宜、平面配置図に従って、それぞれの構造を応用したり、混合したりすることができる。
【００８１】
なお、本発明は前述の実施形態に限定されるものではなく、本発明の目的を達成できる範囲での変形、改良等は本発明に含まれるものである。
例えば、前記実施形態の矩形型立体迷路では、踊場の高さ位置が互いにＬ／４ずつ異なる４種類の踊場ユニットを備えたものを説明したが、本発明での踊場ユニットとしては、ｎ種類に構成され、それぞれの踊場の高さが所定寸法Ｌの１／ｎずつ異なっているものを採用してもよい。
【００８２】
また、前記実施形態の矩形型立体迷路および亀甲型立体迷路は、複数の部品を自由に組み立てることが可能な知的で質の高い立体迷路の模型玩具としてもよい。つまり、基本構成となる複数の踊場と、複数の柱と、複数の階段とが、個々に組立と分解が可能に構成され、様々な通路を有する構造体に自由に組み立てたり、分解したりできるようにしてもよい。例えば、踊場や柱、階段をプラスチック製で構成すれば、プラスチック製模型玩具とすることもできる。このような構成によれば、大人でも子供でも容易に組み立て可能で、より複雑に入り組んだ通路を構成することを競い合う等をして遊んだりすることができる。あるいは、鑑賞対象としての置物にしてもよい。
【００８３】
また、前記第２実施形態の亀甲型立体迷路において、所定寸法Ｌの１／２だけ異なる長さ寸法を有する２種類の柱を設け、２種類の柱を踊場に連結させて踊場の高さ位置が所定寸法Ｌの高さ位置および所定寸法Ｌの１／２の高さ位置となる２種類の踊場ユニットを構成し、これらの踊場ユニットを仮想の六角形の各頂点位置に交互に配設してもよい。そして、各頂点位置に配設される踊場ユニットの上方に、踊場の高さ位置が前記所定寸法Ｌの高さ位置である踊場ユニットを順次積み上げることによって、亀甲型立体迷路を構成してもよい。
【００８４】
また、前記実施形態では、１つの踊場を有する踊場ユニットを用いているが、互いの踊場の高さ位置が所定寸法Ｌずつ異なる複数の踊場を有する踊場ユニットを用いてもよい。つまり、前記実施形態における踊場ユニットが２つあるいは３つ以上積み上げられた状態のものを１つの踊場ユニットとして構成してもよい。
【００８５】
また、前記実施形態では、複数の踊場ユニットが上方に積み上げられているが、本発明の立体迷路では、１本の柱に所定寸法Ｌ毎に踊場を設置できる踊場設置位置を複数設け、積み上げられる踊場ユニットにおけるそれぞれの踊場の高さ位置と同じ高さ位置となるように、複数の踊場を前記柱のいずれかの踊場設置位置に設置してもよい。また、ワイヤで支持された踊場や階段を介して支持された踊場については、ワイヤや階段を用いずに柱で支持されていてもよい。
【００８６】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００８７】
【図１】本発明の第１実施形態に係る立体迷路を示す全体斜視図。
【図２】同上の立体迷路を構成する踊場ユニットを示す全体斜視図。
【図３】同上の立体迷路を示す立面図。
【図４】同上の立体迷路の基準面上の踊場ユニットの平面配列パターンを示す概念図。
【図５】同上の立体迷路の基準面上の踊場ユニットの平面配列を示す斜視図
【図６】同上の立体迷路の基準面上の踊場ユニットの平面配列を示す平面図。
【図７】本発明の第２実施形態に係る立体迷路を部分的に省略して示す全体斜視図。
【図８】同上の立体迷路を構成する踊場ユニットを示す平面図および側面図。
【図９】同上の立体迷路を構成する踊場を示す平面図および側面図。
【図１０】同上の立体迷路の階段を一部省略して示す全体斜視図。
【図１１】同上の立体迷路の踊場の配列を示す斜視図。
【図１２】同上の立体迷路を構成する階段を示す平面図および側面図。
【図１３】同上の立体迷路の平面配設の概念を示す模式図。
【図１４】同上の立体迷路の第１層から第３層までを示す平面図。
【図１５】本発明の第３実施形態に係る立体迷路を構成する踊場を示す平面図。
【図１６】同上の立体迷路を構成する階段を示す平面図および側面図。
【図１７】同上の立体迷路の平面配設を示す全体平面図。
【図１８】同上の立体迷路を示す全体斜視図。
【図１９】本発明の第４実施形態に係る立体迷路を示す平面図。
【図２０】同上の立体迷路を示す断面図。
【図２１】同上の立体迷路の変形例を示す断面図。
【図２２】本発明の第５実施形態に係る立体迷路を構成する踊場を示す平面図。
【図２３】同上の立体迷路の平面配設を示す全体平面図。
【図２４】本発明の第６実施形態に係る立体迷路を示す平面図。
【図２５】本発明の第７実施形態に係る立体迷路を示す平面図。
【図２６】本発明の第８実施形態に係る立体迷路を示す平面図。
【図２７】本発明の第９実施形態に係る立体迷路を示す平面図。
【図２８】第６，７，８，９実施形態の立体迷路を構成する踊場を示す平面図。
【符号の説明】
【００８８】
１０１，１０３，１０４，１０６，１０７，１０８，１０９，１０４１…矩形型立体迷路（立体迷路）、１０２，１０５…亀甲型立体迷路（立体迷路）、ＩＡ，IIＡ，IIIＡ，IVＡ…（踊場Ａを有する）踊場ユニット、ＩＢ…（踊場Ｂを有する）踊場ユニット、ＩＤ，IIＤ，IVＤ…（踊場Ｄを有する）踊場ユニット、ＩＥ，IIIＥ …（踊場Ｅを有する）踊場ユニット、ＩＦ…（踊場Ｆを有する）踊場ユニット、IIIＧ …（踊場Ｇを有する）踊場ユニット、ＩＨ…（踊場Ｈを有する）踊場ユニット、ＩＪ…（踊場Ｊを有する）踊場ユニット、ＩＫ…（踊場Ｋを有する）踊場ユニット、ＩＲ，IIＲ，IIIＲ ，IVＲ…（踊場Ｒを有する）踊場ユニット、ＩＴ，IIＴ，IIIＴ ，IVＴ…（踊場Ｔを有する）踊場ユニット、ＩＵ…（踊場Ｕを有する）踊場ユニット、IIIＷ…（踊場Ｗを有する）踊場ユニット、ＩＸ，IIIＸ …（踊場Ｘを有する）踊場ユニット、IIIＹ …（踊場Ｙを有する）踊場ユニット、Ａ，Ｂ，Ｃ，Ｄ，Ｅ，Ｆ，Ｇ，Ｈ，Ｊ，Ｋ，Ｍ，Ｎ，Ｑ，Ｒ，Ｔ，Ｕ，Ｗ，Ｘ，Ｙ…踊場、Ｐ１，Ｐ２，Ｐ３，Ｐ４，Ｐ５…柱、Ｓ１，Ｓ２，Ｓ３，Ｓ４，Ｓ５，Ｓ６，Ｓ７，Ｓ８，Ｓ９，Ｓ１０…階段、Ｚ１，Ｚ２…水平デッキ、Ｌ…所定寸法、２…ワイヤ、３…頂部構造体。
【図１】
2008049086.tif 000003
【図２】
2008049086.tif 000004
【図３】
2008049086.tif 000005
【図４】
2008049086.tif 000006
【図５】
2008049086.tif 000007
【図６】
2008049086.tif 000008
【図７】
2008049086.tif 000009
【図８】
2008049086.tif 000010
【図９】
2008049086.tif 000011
【図１０】
2008049086.tif 000012
【図１１】
2008049086.tif 000013
【図１２】
2008049086.tif 000014
【図１３】
2008049086.tif 000015
【図１４】
2008049086.tif 000016
【図１５】
2008049086.tif 000017
【図１６】
2008049086.tif 000018
【図１７】
2008049086.tif 000019
【図１８】
2008049086.tif 000020
【図１９】
2008049086.tif 000021
【図２０】
2008049086.tif 000022
【図２１】
2008049086.tif 000023
【図２２】
2008049086.tif 000024
【図２３】
2008049086.tif 000025
【図２４】
2008049086.tif 000026
【図２５】
2008049086.tif 000027
【図２６】
2008049086.tif 000028
【図２７】
2008049086.tif 000029
【図２８】
2008049086.tif 000030